(57)【要約】  薬注量が異なる薬注レベルが複数レベル設定されており、制御開始当初は最も薬注量が多いレベルで薬注を開始し、前記サンプリング期間Ｓが経過する度に、ＲＯ装置５の差圧上昇速度と閾値Ａとを比較し、前記上昇速度が前記閾値Ａ以下である場合には、薬注量を１段階少ないレベルに低下させ、前記上昇速度が前記閾値Ａよりも大きい場合には、薬注量を１段階多いレベルに増加させる。
2020158645.tif 000002
【特許請求の範囲】
【請求項１】
逆浸透膜装置に供給される被処理水に添加されるスライムコントロール剤の薬注量を制御する方法において、
該逆浸透膜装置のファウリングに関する指標値の変化速度に基づいて前記薬注量を制御することを特徴とする薬注制御方法。
【請求項２】
前記逆浸透膜装置に供給される被処理水に存在するスライムコントロール剤の濃度を変更するよう、前記薬注量の制御を行うことを特徴とする請求項１に記載の薬注制御方法。
【請求項３】
前記スライムコントロール剤の被処理水への添加が添加工程と休止工程とを有する間欠添加であって、
該間欠工程と休止工程の少なくとも一方の時間を変更することで、前記薬注量の制御を行うことを特徴とする請求項１に記載の薬注制御方法。
【請求項４】
前記指標値の変化速度は、ファウリングの進行速度と正の相関を有するものであって、
設定されたサンプリング期間における前記指標値の平均変化速度が閾値Ａ以下である場合、薬注量を規定量低下させることを特徴とする請求項１〜３のいずれかに記載の薬注制御方法。
【請求項５】
薬注量が異なる薬注レベルが複数レベル設定されており、制御開始当初は、予め設定した所定の薬注レベルで薬注を開始し、前記サンプリング期間が経過する度に、該サンプリング期間における指標値の平均変化速度と前記閾値Ａとを比較し、
該平均変化速度が前記閾値Ａ以下である場合には、薬注量を１段階以上少ないレベルに低下させる工程を繰り返し実施し、
前記平均変化速度が前記閾値Ａを超えた場合には、その薬注レベルをそのまま維持するか、または薬注量を１段階以上多いレベルとし、この薬注レベルを最適薬注レベルとする最適薬注レベル探索モードを有することを特徴とする請求項４に記載の薬注制御方法。
【請求項６】
前記最適薬注レベル探索モードで最適薬注レベルを決定した後、前記最適薬注レベルで運転を継続する安定運転モードを有することを特徴とする請求項５に記載の薬注制御方法。
【請求項７】
前記安定運転モードでは、
前記設定されたサンプリング期間が経過する度に、前記サンプリング期間における前記平均変化速度と前記閾値Ａとを比較し、前記平均変化速度が前記閾値Ａ以下である場合には、同じ薬注レベルでの運転を継続する工程を繰り返し実施し、同じ薬注レベルでの運転において、前記平均変化速度と前記閾値Ａとの比較を連続してｎ回実施した場合には、薬注量を１段階以上少ないレベルに低下させることを特徴とする請求項６に記載の薬注制御方法。
【請求項８】
薬注量が異なる薬注レベルが複数レベル設定されており、所定の薬注レベルで薬注を実施し、前記サンプリング期間が経過する度に、前記サンプリング期間における前記平均変化速度と前記閾値Ａとを比較し、前記平均変化速度が前記閾値Ａ以下である場合には、同じ薬注レベルでの運転を継続する工程を繰り返し実施し、同じ薬注レベルでの運転において、前記平均変化速度と前記閾値Ａとの比較を連続してｎ回実施した場合には、薬注量を１段階以上少ないレベルに低下させることを特徴とする安定運転モードを有することを特徴とする請求項１〜４のいずれかに記載の薬注制御方法。
【請求項９】
前記安定運転モードでは、前記サンプリング期間が経過する毎に、前記平均変化速度と閾値Ａとを比較し、前記平均変化速度が閾値Ａよりも大きい場合には、薬注量をｊ段階多いレベル（ｊは１以上の整数）に増加させることを特徴とする請求項６〜８のいずれかに記載の薬注制御方法。
【請求項１０】
前記安定運転モードでは、閾値を前記閾値Ａよりも大きい閾値Ｂを設定し、
前記サンプリング期間が経過する毎に前記平均変化速度と閾値Ｂとを対比し、
前記平均変化速度が前記閾値Ｂよりも大きい場合には、薬注量をｍ段階多いレベル（ｍは２以上の整数）に増加させることを特徴とする請求項９に記載の薬注制御方法。
【請求項１１】
前記指標値は、前記逆浸透膜装置の非透過側の差圧又は給水圧であることを特徴とする請求項１〜１０のいずれかに記載の薬注制御方法。
【請求項１２】
前記指標値の平均変化速度は、ファウリングの進行速度と負の相関を有するものであって、前記指標値の設定されたサンプリング期間の平均変化速度が閾値Ａ以上である場合、薬注量を規定量低下させることを特徴とする請求項１〜３のいずれかに記載の薬注制御方法。
【発明の詳細な説明】
【技術分野】
【０００１】
本発明は水系へのスライムコントロール剤の注入量を制御する薬注制御方法に関するものであり、好適には逆浸透膜（ＲＯ膜）システムにおけるスライムを抑制して逆浸透膜のファウリングを防止する薬注制御方法に関する。
【背景技術】
【０００２】
海水淡水化プラントや排水回収プラントでは、電解質や中低分子の有機成分を効率的に除去することができるＲＯ膜装置が広く用いられている。ＲＯ膜装置を含む水処理装置では、通常、ＲＯ膜装置の前段に圧力濾過装置、重力濾過装置、凝集沈澱処理装置、加圧浮上濾過装置、浸漬膜装置、膜式前処理装置などの前処理装置が設けられ、被処理水はこれらの前処理装置により前処理された後、ＲＯ膜装置に供給されてＲＯ膜分離処理される。【０００３】
このような水処理装置においては、被処理水中に含まれる微生物が、装置配管内や膜面で増殖してスライムを形成し、系内の微生物繁殖による臭気発生、ＲＯ膜の透過水量低下といった障害を引き起こすことがある。微生物による汚染を防止するためには、被処理水に殺菌剤を常時又は間欠的に添加し、被処理水又は装置内を殺菌しながら処理する方法が一般的である。【０００４】
特にＲＯ膜でのトラブルを解決するために、クロラミンやクロロスルファミン酸ナトリウムといった結合塩素系酸化剤のほか、結合臭素系酸化剤、イソチアゾロン系化合物などの微生物増殖を抑制する化合物を含有するスライムコントロール剤を添加して微生物増殖を抑制する方法が採られている。【０００５】
スライムコントロール剤の添加量制御方法として、特許文献１には、ＲＯ膜ユニットの非透過側の差圧を測定し、この差圧が基準値よりも低いときと高いときとで薬注量を異ならせることが記載されている。【０００６】
特許文献２には、薬注された水系のスライムと微生物の呼吸活性を測定し、この測定値に応じて薬注量を制御することが記載されている。【０００７】
特許文献３には、スライムコントロール剤を添加する時間（添加期間）と添加しない時間（無添加期間）とを設ける、所謂、間欠添加することで、薬剤使用量（薬注量）を低減する方法が記載されている。
【先行技術文献】
【特許文献】
【０００８】
【特許文献１】特開２０１１−２２４５４３号公報
【特許文献２】特開２０１２−２１０６１２号公報
【特許文献３】国際公開ＷＯ２０１３／００５７８７号公報
【発明の概要】
【発明が解決しようとする課題】
【０００９】
本発明は、水系へのスライムコントロール剤の最適添加量の決定を迅速化し、またスライム負荷の変動や被処理水の流量の変動に対応して安定したスライム抑制を達成することができる薬注制御方法を提供することを目的とする。
【課題を解決するための手段】
【００１０】
本発明の要旨は次の通りである。【００１１】
［１］  逆浸透膜装置に供給される被処理水に添加されるスライムコントロール剤の薬注量を制御する方法において、
該逆浸透膜装置のファウリングに関する指標値の変化速度に基づいて前記薬注量を制御することを特徴とする薬注制御方法。【００１２】
［２］  前記逆浸透膜装置に供給される被処理水に存在するスライムコントロール剤の濃度を変更するよう、前記薬注量の制御を行うことを特徴とする［１］に記載の薬注制御方法。【００１３】
［３］  前記スライムコントロール剤の被処理水への添加が添加工程と休止工程とを有する間欠添加であって、
該間欠工程と休止工程の少なくとも一方の時間を変更することで、前記薬注量の制御を行うことを特徴とする［１］に記載の薬注制御方法。【００１４】
［４］  前記指標値の変化速度は、ファウリングの進行速度と正の相関を有するものであって、
設定されたサンプリング期間における前記指標値の平均変化速度が閾値Ａ以下である場合、薬注量を規定量低下させることを特徴とする［１］〜［３］のいずれかに記載の薬注制御方法。【００１５】
［５］  薬注量が異なる薬注レベルが複数レベル設定されており、制御開始当初は、予め設定した所定の薬注レベルで薬注を開始し、前記サンプリング期間が経過する度に、該サンプリング期間における指標値の平均変化速度と前記閾値Ａとを比較し、
該平均変化速度が前記閾値Ａ以下である場合には、薬注量を１段階以上少ないレベルに低下させる工程を繰り返し実施し、
前記平均変化速度が前記閾値Ａを超えた場合には、その薬注レベルをそのまま維持するか、または薬注量を１段階以上多いレベルとし、この薬注レベルを最適薬注レベルとする最適薬注レベル探索モードを有することを特徴とする［４］に記載の薬注制御方法。【００１６】
［６］  前記最適薬注レベル探索モードで最適薬注レベルを決定した後、前記最適薬注レベルで運転を継続する安定運転モードを有することを特徴とする［５］の薬注制御方法。【００１７】
［７］  前記安定運転モードでは、
前記設定されたサンプリング期間が経過する度に、前記サンプリング期間における前記平均変化速度と前記閾値Ａとを比較し、前記平均変化速度が前記閾値Ａ以下である場合には、同じ薬注レベルでの運転を継続する工程を繰り返し実施し、同じ薬注レベルでの運転において、前記平均変化速度と前記閾値Ａとの比較を連続してｎ回実施した場合には、薬注量を１段階以上少ないレベルに低下させることを特徴とする［６］の薬注制御方法。【００１８】
［８］  薬注量が異なる薬注レベルが複数レベル設定されており、所定の薬注レベルで薬注を実施し、前記サンプリング期間が経過する度に、前記サンプリング期間における前記平均変化速度と前記閾値Ａとを比較し、前記平均変化速度が前記閾値Ａ以下である場合には、同じ薬注レベルでの運転を継続する工程を繰り返し実施し、同じ薬注レベルでの運転において、前記平均変化速度と前記閾値Ａとの比較を連続してｎ回実施した場合には、薬注量を１段階以上少ないレベルに低下させることを特徴とする安定運転モードを有する［１］から［４］に記載の薬注制御方法。
［９］  前記安定運転モードでは、前記サンプリング期間が経過する毎に、前記平均変化速度と閾値Ａとを比較し、前記平均変化速度が閾値Ａよりも大きい場合には、薬注量をｊ段階多いレベル（ｊは１以上の整数）に増加させることを特徴とする［６］から［８］に記載の薬注制御方法。【００１９】
［１０］  前記安定運転モードでは、閾値を前記閾値Ａよりも大きい閾値Ｂを設定し、
前記サンプリング期間が経過する毎に前記平均変化速度と閾値Ｂとを対比し、
前記平均変化速度が前記閾値Ｂよりも大きい場合には、薬注量をｍ段階多いレベル（ｍは２以上の整数）に増加させることを特徴とする［９］に記載の薬注制御方法。【００２０】
［１１］  前記指標値は、前記逆浸透膜装置の非透過側の差圧又は給水圧であることを特徴とする［１］〜［１０］のいずれかに記載の薬注制御方法。【００２１】
［１２］  前記指標値の平均変化速度は、ファウリングの進行速度と負の相関を有するものであって、前記指標値の設定されたサンプリング期間の平均変化速度が閾値Ａ以上である場合、薬注量を規定量低下させることを特徴とする［１］〜［３］のいずれかに記載の薬注制御方法。
【発明の効果】
【００２２】
本発明によると、スライムコントロール剤の添加開始時に薬注量が自動的に最適量に調整される。【００２３】
本発明の一態様によると、薬注量が安定した後に差圧上昇が認められた場合は、自動的に薬注量が適正値に切り替えられる。【００２４】
また、本発明の一態様によると、薬注量が安定した後に、薬注量を１段階以上下げることにより、薬品使用量を削減できる。
【図面の簡単な説明】
【００２５】
【図１】ＲＯシステムの構成図である。
【図２】制御ユニットの表示画面の説明図である。
【図３】本発明の一例を説明するフローチャートである。
【図４】本発明の一例を説明するフローチャートである。
【図５】本発明の一例を説明するフローチャートである。
【発明を実施するための形態】
【００２６】
本発明方法では、逆浸透膜装置に供給される被処理水に添加されるスライムコントロール剤の薬注量を、該逆浸透膜装置のファウリングに関する指標値の変化速度に基づいて前記薬注量を制御する。
【００２７】
前記指標値の変化速度は、ファウリングの進行速度と正の相関を有するもの（例えば差圧）であってもよく、負の相関を有するものであってもよい。
【００２８】
以下に、指標値がファウリングの進行速度と正の相関を有する場合を説明する。この場合の一態様では、設定されたサンプリング期間における前記指標値の平均変化速度が閾値Ａ以下である場合、薬注量を規定量低下させる。
【００２９】
この態様の一例では、薬注量が異なる薬注レベルが複数レベル設定されており、制御開始当初は、予め設定した所定の薬注レベルで薬注を開始し、前記サンプリング期間が経過する度に、該サンプリング期間における指標値の平均変化速度と前記閾値Ａとを比較し、該平均変化速度が前記閾値Ａ以下である場合には、薬注量を１段階以上少ないレベルに低下させる工程を繰り返し実施し、前記平均変化速度が前記閾値Ａを超えた場合には、その薬注レベルをそのまま維持するか、または、薬注量を１段階以上多いレベルとし、この薬注レベルを最適薬注レベルとする最適薬注レベル探索モードを行う。
【００３０】
本発明の一例では、前記最適薬注レベル探索モードで最適薬注レベルを決定した後、前記最適薬注レベルで運転を継続する安定運転モードを行う。
【００３１】
前記安定運転モードの一例では、前記設定されたサンプリング期間が経過する度に、前記サンプリング期間における前記平均変化速度と前記閾値Ａとを比較し、前記平均変化速度が前記閾値Ａ以下である場合には、同じ薬注レベルでの運転を継続する工程を繰り返し実施し、同じ薬注レベルでの運転において、前記平均変化速度と前記閾値Ａとの比較を連続してｎ回実施した場合には、薬注量を１段階以上少ないレベルに低下させる。
【００３２】
前記安定運転モードの別の一例では、前記サンプリング期間が経過する毎に、前記平均変化速度と閾値Ａとを比較し、前記平均変化速度が閾値Ａよりも大きい場合には、薬注量をｊ段階多いレベル（ｊは１以上の整数）に増加させる。また、前記閾値Ａよりも大きい閾値Ｂを設定し、前記サンプリング期間が経過する毎に前記平均変化速度と閾値Ｂとを対比し、前記平均変化速度が前記閾値Ｂよりも大きい場合には、薬注量をｍ段階多いレベル（ｍは２以上の整数）に増加させる。
【００３３】
以下、図面を参照して実施の形態について詳細に説明する。
【００３４】
図１はＲＯシステムの構成図であり、被処理水が配管４を介してＲＯ装置５に供給され、透過水が配管６から取り出され、濃縮水が配管７から取り出される。
【００３５】
配管４には流量計１が設けられており、その測定値が制御ユニット１０に入力される。配管４に対し、貯留槽２内のスライムコントロール剤溶液が薬注ポンプ３を介して添加される。薬注ポンプ３は制御ユニット１０によって制御される。配管４，７にそれぞれ圧力計８，９が設けられている。該圧力計８，９の検出値が制御ユニット１０に入力され、両者の差からＲＯ装置５の非透過側の差圧ΔＰが演算される。
【００３６】
本発明では、差圧の平均上昇速度（単位時間当りの差圧の上昇値）に基づいてステップの薬注量（添加量）が制御される。
【００３７】
本発明の一実施の形態では、薬注量が少ない側から多い方へ複数段階（レベル）、特に限定するものではないが２〜１００段階、好ましくは３〜８０段階特に好ましくは４〜５０段階、とりわけ好ましくは５〜１０段階設定されており、差圧の上昇速度が所定の範囲以下の場合には、薬注レベルを順次に引き下げる。そして、差圧の上昇速度が所定の範囲以下の場合で最も少ないレベルにて薬注を継続する。なお、この設定された段階（レベル）の数をｘと表わすことがある。
【００３８】
なお、差圧の平均上昇速度は、サンプリング期間Ｓの差圧−時間グラフにおける傾きを最小二乗法によって求めることができる。
【００３９】
上記のサンプリング期間Ｓは０．５〜７２０ｈ特に２４〜３３６ｈとりわけ７２〜１６８ｈが好ましい。差圧の測定間隔は７２〜１００８ｍｉｎ特に２１６〜５０４ｍｉｎ程度が好ましい。
【００４０】
本発明の薬注制御の一例を図３に示す。
【００４１】
はじめに最も添加量の多いレベルで薬注を開始する（ステップ３０）。設定したサンプリング期間Ｓ経過後に該期間中の差圧の平均上昇速度（ｄΔＰ／ｄｔ）を算出する。差圧の平均上昇速度が閾値Ａを超えているときには、最も多い薬注量にて薬注を継続する（ステップ３１）。平均上昇速度がＡ以下であれば、１段階下の薬注レベルに変更する（ステップ３１→３２）。次いで、同様に、設定したサンプリング期間Ｓを経過する毎に、差圧平均上昇速度が閾値Ａを超えていないかを判定し（ステップ３３）、Ａを超えていなければさらに１段階下の薬注レベルに変更する（ステップ３３→３２）。この操作を繰り返し、差圧の平均上昇速度が閾値Ａを超えた場合には、薬注レベルを１段階上のレベルとする（ステップ３３→３４）。なお、差圧の平均上昇速度が閾値Ａを超えた場合には、その薬注レベルをそのまま維持してもよい。
【００４２】
その後は、図３の破線で示すように、ステップ３１に戻って同様の制御を行うか、又は、ステップ３４で設定された薬注量を基準とした、図４又は図５に示す安定運転モードにて薬注を行う。
【００４３】
ステップ３４で設定された薬注量は、複数レベル設定した薬注レベルのうち、差圧の平均上昇速度が閾値Ａ以下となる最少の薬注レベル（最適薬注レベル）である。したがって、スタートからステップ３４までのステップは、最適薬注レベルを探索するための最適薬注レベル探索モードの一例となる。
【００４４】
上記の最適薬注レベル探索モードでは、ステップ３１、ステップ３４ではレベルを１段階変化させているが、特にこれに限定されるものではなく、設定した段階の数ｘよりも小さい範囲で、適宜設定することができる。例えば、予め設定した段数をｘ、変化させる段数をｙとした場合、ｙ／ｘは０．０５以上、特に０．３以上で且つ０．５以下、特に０．４以下であることが好ましい。これを式で表わすと、ｙ／ｘは以下のような範囲となるよう設定することができる。なお、ｘは、前述の通り、好ましくは２〜１００、さらに好ましくは３〜８０、さらに好ましくは４〜５０、さらに好ましくは５〜１０である。
（０．０５〜０．３）≦ｙ／ｘ≦（０．４〜０．５）
【００４５】
図４の安定運転モード（１）を次に説明する。
【００４６】
上記のステップ３４で設定された薬注レベルで、設定したサンプリング期間Ｓ経過後に、差圧平均上昇速度と閾値Ａとを比較し（ステップ４１）、平均上昇速度が閾値Ａ以下であれば、再度、同じ薬注レベルで運転を継続し、再びサンプリング期間Ｓ経過後に、差圧平均上昇速度と閾値Ａとを比較する（ステップ４１→４２→４１）。この操作を繰り返し実行し、同じ薬注レベルで、連続してｎ回、差圧平均上昇速度が閾値Ａ以下の場合には、薬注レベルを１段少ないレベルに低下させ（ステップ４１→４２→４３）、その薬注レベルで運転を継続する（ステップ４３→４１）。なお、上記ｎはあらかじめ設定した２以上（例えば２〜２０、特に２〜１０）の数である。
【００４７】
途中で、サンプリング期間Ｓでの差圧の平均上昇速度が閾値Ａを超えた場合には、薬注レベルをｊ段（ｊは１以上の整数）、例えば１段多いレベルにあげ（ステップ４１→４４）、この薬注レベルで運転を継続する（ステップ４４→４１）。
【００４８】
安定運転モードの別例を図５に示す。設定したサンプリング期間Ｓ経過後に、差圧平均上昇速度と閾値Ａとを比較し（ステップ５１）、平均上昇速度がＡ以下であれば、図４の安定運転モード（１）と同様、再度、同じ薬注レベルで運転を継続し、再びサンプリング期間Ｓ経過後に、差圧平均上昇速度と閾値Ａとを比較する（ステップ５１→５２→５１）。この操作を繰り返し実行し、同じ薬注レベルで、連続してｎ回、差圧平均上昇速度が閾値Ａ以下の場合には、薬注レベルを１段少ないレベルに低下させ（ステップ５１→５２→５３）、その薬注レベルで運転を継続する（ステップ５３→５１）。
【００４９】
この安全運転モード（２）では、Ａよりも大きい閾値Ｂを設定する。途中で、サンプリング期間Ｓでの差圧平均上昇速度が閾値Ａを超えた場合には、次に、差圧平均上昇速度と閾値Ｂとを比較し、閾値Ｂ以下であれば、薬注レベルを１段多いレベルにあげ（ステッ５４→５５）、この薬注レベルで運転を継続する（ステップ５５→５１）。そして、差圧平均上昇速度と閾値Ｂとの比較において、差圧平均上昇速度が閾値Ｂを超えた場合には、薬注レベルをｍ段（ｍは２以上の整数）、例えば２段多いレベルに上げ（ステップ５４→５６）、この薬注レベルで運転を継続する（ステップ５６→５１）。ｍは例えば２〜２０、特に２〜１０の間から選択される。
【００５０】
上記閾値ＢとＡの比Ｂ／Ａは１０以下特に２〜５程度が好ましい。また、上記、ｎは２０以下特に２〜１０程度が好ましい。ｎは整数でなくても良い。
【００５１】
最も薬注量が少ないレベルで運転している場合には、図３のステップ３２、図４のステップ４３あるいは図５のステップ５３などにおいて、薬注レベルを下げることができない。このような場合には、薬注レベルを下げることなく、最も薬注量が少ないレベルのままで、次のステップ、図３ではステップ３３又は安定運転モードに、図４ではステップ４１、図５ではステップ５１に移行する。
【００５２】
最も薬注量が多いレベルで運転している場合には、図４のステップ４４、図５のステップ５５，５６などで、薬注レベルを上げることができない。場合には、薬注レベルを上げることなく、最も薬注量が多いレベルのままで、次のステップ、図４ではステップ４１に、図５ではステップ５１に移行する。
【００５３】
上記の安定運転モードでは、ステップ４３、ステップ４４、ステップ５３およびステップ５５ではレベルを１段階変化させているが、特にこれに限定されるものではなく、設定した段数ｘよりも小さい範囲で、適宜設定することができる。例えば予め設定した段数をｘ、変化させる段数をｚとした場合、ｚ／ｘは０．０５以上、特に０．３以上で且つ０．５以下、特に０．４以下であることが好ましい。
【００５４】
また、上記の態様では、最適薬注レベル探索モードに引き続き、安定運転モードに移行しているが、最適薬注レベル探索モードと安定運転モードとの間に別の工程（モード）を存在させても良いし、最適薬注レベル探索モードを省略して安定運転モードから運転を実施しても良い。
【００５５】
上記の制御は制御ユニット１０によって行われる。スライムコントロール剤を間欠的に添加する場合の制御ユニット１０の表示画面の一例を図２に示す。なお、図示は省略するが、制御ユニット１０には、各種の値を入力するために、タッチパネル、キーボード等の入力手段が設けられている。
【００５６】
この画面６０では、現時点における差圧上昇速度を表示する表示部６１、閾値Ａの表示部６２、閾値Ｂの表示部６３、サンプリング期間Ｓの表示部６４等が設けられている。この例では、薬注レベルはＮｏ．１〜Ｎｏ．６の６段階設定されており、各レベルにおける薬注比の表示部６５、薬注ポンプのＯＮタイムの表示部６６及びＯＦＦタイムの表示部６７が設けられている。さらに、実行されている薬注レベルを点灯により表示する点灯部６８が設けられている。
【００５７】
なお、薬注比は、最も薬注ポンプの吐出量が多いレベルのものを１００％とした場合の各レベルの薬注量を表わしている。
【００５８】
また、この実施の形態（間欠添加）では、薬注ポンプ３はＰＷＭ制御されており、ＯＮタイムはポンプＯＮの時間（デューティ）を表わし、ＯＦＦタイムにポンプＯＦＦの時間を表わし、薬注比は全て同一の値（例えば１００％）とし、ポンプＯＮの時間及び／又はポンプＯＦＦの時間をそれぞれ異なる時間とすることで、異なる薬注レベルを設定する。ただし、薬注ポンプ制御はＰＷＭ制御に限定されず、パルス制御でもアナログ制御であってもよい。
【００５９】
画面６０には、１回のサンプリング時間Ｓを計測するタイマーをスタートさせてからの経過時間を表示する表示部を設けてもよい。
【００６０】
上記実施の形態では、ＲＯ装置５の非透過側の差圧ΔＰの上昇速度を指標値としているが、ＲＯ膜給水圧（圧力計８検出値）の上昇速度を指標値としてもよい。ＲＯ膜給水圧も、ファウリングの進行速度と正の相関関係を有する。
【００６１】
前述の通り、指標値は、ファウリングの進行速度と負の相関関係を有するものであってもよい。例えば、ＲＯ装置５の透過流束や透過流量等の変化速度（低下速度）を指標値としてもよい。
【００６２】
透過流束や透過流量は、膜のファウリングのみならず、温度や膜間差圧によっても異なる。したがって、透過流束や透過流量を用いる場合、標準膜間差圧及び標準温度条件下に換算した、補正透過流束、補正透過流量を用いることが好ましい。
【００６３】
指標値がファウリングの進行速度と負の相関関係を有するものである場合、上記のファウリングの進行速度と正の相関関係を有する場合における「Ａ以下」等を「Ａ以上」等と逆にすればよい。例えば、設定されたサンプリング期間における前記指標値の平均変化速度（例えば、ＲＯ装置５の補正透過流束の変化速度）が閾値Ａ以上である場合、薬注量を規定量低下させるようにする。
【００６４】
上記実施の形態では、ポンプＯＮ（添加工程）の時間とポンプＯＦＦ（休止工程）の時間の少なくとも一方を変更することで薬注量の制御を行っているが、薬注ポンプ３の吐出側と配管４とを接続する配管に設けた開閉バルブ（図示せず）の開度の変更や、薬注ポンプ３自体の吐出量の変更によって、被処理水中に注入されるスライムコントロール剤の薬注量を制御しても良い。
【００６５】
また、上記実施の形態では、スライムコントロール剤の添加は添加工程と休止工程とを有する間欠添加で行っているが、休止工程を設けない連続添加であっても良い。連続添加の場合には、上述の開閉バルブの開度や薬注ポンプ３自体の吐出量自体を変更することで薬注量を制御することができる。
【００６６】
スライムコントロール剤としては、結合塩素系、結合臭素系スライムコントロール剤、イソチアゾロン化合物などのいずれでもよい。結合塩素系スライムコントロール剤としてはスルファミン酸化合物を含有するものが例示される。
【００６７】
本発明では、制御ユニット６に、上記以外の制御モードでの制御を行うプログラムを搭載してもよい。このようなプログラムとしては例えばスライムコントロール剤添加条件として系内でのスライムコントロール剤濃度を設定し、スライムコントロール剤濃度に相関を有する指標の測定値に基づいて添加条件通りのスライムコントロール剤濃度を維持するようスライムコントロール剤注入量制御を行うプログラムが例示される。スライムコントロール剤として結合塩素系あるいは結合臭素系スライムコントロール剤を用いる場合には、ＤＰＤ法の測定により前記指標を得ることができる。
【００６８】
系内のスライムコントロール剤濃度を設定する場合には、図２の薬注比に変えて、系内のスライムコントロール剤濃度あるいはスライムコントロール剤濃度に相関する指標を用いることができる。
【００６９】
本発明を特定の態様を用いて詳細に説明したが、本発明の意図と範囲を離れることなく様々な変更が可能であることは当業者に明らかである。
本出願は、２０１９年１月２８日付で出願された日本特許出願２０１９−０１２４３５に基づいており、その全体が引用により援用される。
【符号の説明】
【００７０】
３  薬注ポンプ
５  ＲＯ装置
８，９  圧力計
１０  制御ユニット
【図１】
2020158645.tif 000003
【図２】
2020158645.tif 000004
【図３】
2020158645.tif 000005
【図４】
2020158645.tif 000006
【図５】
2020158645.tif 000007
【国際調査報告】
2020158645.tif 000008
2020158645.tif 000009
2020158645.tif 000010
2020158645.tif 000011